(57)【要約】【課題】  光ビームを潜像担持体上に走査させてライン潜像を形成する潜像形成部を各トナー色ごとに装備した装置において、各潜像担持体に形成されるライン潜像の相対的な位置ずれを抑制して高品質なカラー画像を形成する技術を提供する。【解決手段】  振動する偏向ミラー面によって光ビームを主走査方向に往復走査可能に構成するとともに、スキュー状態に応じて潜像形成用光ビームの走査方向を切り換えている。例えば４色のうちマゼンタおよびブラックについては潜像形成用光ビームＳＬ1を用いてライン潜像を形成する一方、残り（イエローおよびシアン）については潜像形成用光ビームＳＬ2を用いてライン潜像を形成している。したがって、各感光体２でのライン潜像の形成位置が１画素以下の精度で調整され、その結果、ライン潜像ＬＩy，ＬＩm，ＬＩc，ＬＩkの相対的な位置ずれを高精度で補正される。【選択図】  図７
2010033060.tif 000002
【特許請求の範囲】
【請求項１】
互いに異なる色のトナー像を形成する、複数の画像形成手段を有し、各画像形成手段で形成されるトナー像を転写媒体上で重ね合わせてカラー画像を形成する画像形成装置において、
前記複数の画像形成手段の各々は、
その表面に主走査方向において所定幅の有効画像領域が設けられるとともに、該表面が前記主走査方向とほぼ直交する副走査方向に駆動される潜像担持体と、
振動する偏向ミラー面によって光源からの光ビームを前記有効画像領域に対応する第１走査領域を前記主走査方向に走査可能に構成され、潜像形成用光ビームを前記有効画像領域に照射して前記有効画像領域にライン潜像を形成する潜像形成部と
を備え、
前記複数の画像形成手段の一部では、前記潜像形成部は前記主走査方向の第１方向で、かつ前記第１走査領域を走査する光ビームを前記潜像形成用光ビームとして前記有効画像領域に照射して前記有効画像領域にライン潜像を形成する一方、残りの画像形成手段では、前記潜像形成部は前記第１方向と逆の第２方向で、かつ前記第１走査領域を走査する光ビームを前記潜像形成用光ビームとして前記有効画像領域に照射して前記有効画像領域にライン潜像を形成することによって、各画像形成手段でのライン潜像の形成位置を調整することを特徴とする画像形成装置。
【請求項２】
前記複数の画像形成手段の各々は、前記潜像形成用光ビームの走査方向を切り換える方向制御部をさらに備える請求項１記載の画像形成装置。
【請求項３】
前記複数の画像形成手段の各々において、前記方向制御部は前記潜像形成部の光源の発光タイミングを制御して前記潜像形成用光ビームの走査方向を切り換える請求項２記載の画像形成装置。
【請求項４】
各ライン潜像が前記複数の画像形成手段に共通する基準線に対して一致または同一方向に傾斜するように各潜像形成部での潜像形成用光ビームの走査方向が設定される請求項１ないし３のいずれかに記載の画像形成装置。
【請求項５】
前記主走査方向における前記潜像担持体の一方端部と機械的に接続されて前記潜像担持体の表面を前記副走査方向に駆動する駆動手段をさらに備え、
前記複数の潜像形成部の各々は光ビームを前記第１走査領域よりも広い第２走査領域で前記主走査方向に走査可能に構成され、しかも、
前記複数の画像形成手段の各々は、前記主走査方向における前記駆動手段の反対側において前記第２走査領域内で、かつ前記第１走査領域を外れた位置を移動する走査光ビームを検出して信号を出力する検出部を備え、前記検出部から出力される検出信号に基づき潜像形成動作を制御する請求項１ないし４のいずれかに記載の画像形成装置。
【請求項６】
前記複数の潜像形成部の各々は光ビームを前記第１走査領域よりも広い第２走査領域で前記主走査方向に走査可能に構成され、しかも、
前記複数の画像形成手段の各々は、前記主走査方向の両方向側の各々において前記第２走査領域内で、かつ前記第１走査領域を外れた位置を移動する走査光ビームを検出して信号を出力する検出部を備え、前記検出部から出力される検出信号に基づき潜像形成動作を制御する請求項１ないし４のいずれかに記載の画像形成装置。
【請求項７】
前記複数の画像形成手段の各々は、前記潜像形成用光ビームの走査方向の上流側に配置された前記検出部から出力される検出信号に基づき潜像形成動作を制御する請求項６記載の画像形成装置。
【請求項８】
その表面に主走査方向において所定幅の有効画像領域が設けられるとともに該表面が前記主走査方向とほぼ直交する副走査方向に駆動される、潜像担持体上に潜像を形成するとともに、互いに異なる色のトナーにより前記潜像を現像してトナー像を形成する、複数の画像形成手段を用いてカラー画像を転写媒体上に形成する画像形成方法であって、
前記複数の画像形成手段の一部において、振動する偏向ミラー面によって光源からの光ビームを前記主走査方向の第１方向で、かつ前記潜像担持体の前記有効画像領域に照射して前記有効画像領域に潜像を形成する一方、残りの画像形成手段において、振動する偏向ミラー面によって光源からの光ビームを前記第１方向と逆の第２方向で、かつ前記潜像担持体の前記有効画像領域に照射して前記有効画像領域に潜像を形成することによって各画像形成手段での潜像の形成位置を調整しながら、各潜像を現像してトナー像を形成する像形成工程と、
前記複数の画像形成手段の各々により形成されたトナー像を前記転写媒体上で重ね合わせてカラー画像を形成する転写工程と
を備えたことを特徴とする画像形成方法。
【請求項９】
１ライン画像データに基づき光源を制御しながら該光源から潜像形成用光ビームを射出させるとともに該光ビームを潜像担持体上で第１方向に走査させて前記１ライン画像データに対応する潜像を前記潜像担持体に形成する第１潜像形成部と、１ライン画像データに基づき光源を制御しながら該光源から潜像形成用光ビームを射出させるとともに該光ビームを潜像担持体上で前記第１方向と逆の第２方向に走査させて前記１ライン画像データに対応する潜像を前記潜像担持体に形成する第２潜像形成部とを備えた画像形成装置において、前記１ライン画像データを制御するデータ制御装置であって、
前記１ライン画像データを構成する複数の画像情報を一時的に記憶する記憶手段と、
前記記憶手段に記憶されている画像情報を読出して該画像情報に基づき前記光源を制御する順序を前記第１潜像形成部と前記第２潜像形成部とで切り換える方向切換手段と
を備えたことを特徴とするデータ制御装置。
【請求項１０】
前記記憶手段は、前記１ライン画像データを一時的に記憶するとともに該１ライン画像データを構成する複数の画像情報を先頭画像情報から順方向に出力する順方向用ラインバッファと、前記１ライン画像データを一時的に記憶するとともに該１ライン画像データを構成する複数の画像情報を最終画像情報から逆方向に出力する逆方向用ラインバッファとを有しており、
前記方向切換手段は、前記第１潜像形成部の光源を制御する際には前記順方向用ラインバッファから読み出される画像情報および読出順序に基づき前記光源を制御する一方、前記第２潜像形成部の光源を制御する際には前記逆方向用ラインバッファから読み出される画像情報および読出順序に基づき前記光源を制御する請求項９記載のデータ制御装置。
【発明の詳細な説明】
【技術分野】
【０００１】
この発明は、いわゆるタンデム方式の画像形成装置および方法に関するものであり、特に振動する偏向ミラー面により光源からの光ビームを走査させる潜像形成部を各トナー色ごとに装備した装置に関するものである。また、この発明は、上記画像形成装置および方法に好適なデータ制御装置に関するものである。
【背景技術】
【０００２】
この種の画像形成装置としては、互いに異なる４色、例えばイエロー、マゼンタ、シアンおよびブラックの各色成分ごとに、感光体、露光ユニットおよび現像ユニットを有する画像形成ユニットを専用的に設けた、いわゆるタンデム方式の画像形成装置が従来より知られている。このタンデム装置では、例えば特開平１−１７０９５８号公報に記載されているように各色成分のトナー像を次のようにして感光体上に形成している。すなわち、各色成分ごとに、該色成分のトナー像を示す画像データに基づき露光ユニットの光源を制御するとともに、その光源からの光ビームを露光ユニットのポリゴンミラーにより主走査方向に走査させて該色成分の画像データに対応する潜像を感光体上に形成する。そして、それらの潜像をそれぞれ対応する色のトナーで現像して複数色のトナー像を形成するとともに、それら複数色のトナー像を転写媒体上に重ね合わせてカラー画像を形成する。
【先行技術文献】
【特許文献】
【０００３】
【特許文献１】特開平１−１７０９５８号公報（第４頁、第２図）
【発明の概要】
【発明が解決しようとする課題】
【０００４】
ところで、上記のようにしてカラー画像を形成する装置では、各色成分のトナー像が相互に位置ずれを起こす現象、いわゆる色ずれの発生を抑制することが重要となる。ここで色ずれの主要因のひとつとして、走査線が予め設定された基準線に対して傾斜してしまうことが挙げられる。すなわち、理想的にはポリゴンミラーにより主走査方向に走査される光ビームの走査線は基準線と一致し、その結果、感光体上ではライン潜像が基準線に沿って形成されることとなる。しかしながら、各露光ユニットでの走査線が基準線に対して傾斜してしまい、色ずれが発生することがあった。そこで、特許文献１に記載の装置では、露光ユニットの構成要素の一部を互いに異なる２軸方向に微小移動させて光ビームの光路を移動させる調整機構が設けられ、これによって光ビームの走査線を移動調整可能となっている。そして、例えば感光体の交換後などの適当なタイミングで走査線の移動調整を行うことで感光体に形成されるライン潜像の形成位置を移動させ、色ずれを補正している。
【０００５】
しかしながら、従来装置では露光ユニットの構成要素の一部、例えばポリゴンミラーを収容する光学箱を機械的に移動調整しているので、調整精度には一定の限界があり、１画素以下の精度で調整することは事実上不可能である。したがって、色ずれの補正をさらに高めて高品質の画像を形成する技術が要望されている。
【０００６】
この発明は上記課題に鑑みなされたものであり、光ビームを潜像担持体上に走査させてライン潜像を形成する潜像形成部を各トナー色ごとに装備した装置において、各潜像担持体に形成されるライン潜像の相対的な位置ずれを抑制して高品質なカラー画像を形成する技術を提供することを第１の目的とする。
【０００７】
また、この発明は上記第１の目的を達成するのに好適なデータ制御装置を提供することを第２の目的とする。
【課題を解決するための手段】
【０００８】
この発明にかかる画像形成装置は、互いに異なる色のトナー像を形成する、複数の画像形成手段を有し、各画像形成手段で形成されるトナー像を転写媒体上で重ね合わせてカラー画像を形成する画像形成装置であって、上記第１の目的を達成するため、複数の画像形成手段の各々は、その表面に主走査方向において所定幅の有効画像領域が設けられるとともに、該表面が主走査方向とほぼ直交する副走査方向に駆動される潜像担持体と、振動する偏向ミラー面によって光源からの光ビームを有効画像領域に対応する第１走査領域を主走査方向に走査可能に構成され、潜像形成用光ビームを有効画像領域に照射して有効画像領域にライン潜像を形成する潜像形成部と備え、複数の画像形成手段の一部では、潜像形成部は主走査方向の第１方向で、かつ第１走査領域を走査する光ビームを潜像形成用光ビームとして有効画像領域に照射して有効画像領域にライン潜像を形成する一方、残りの画像形成手段では、潜像形成部は第１方向と逆の第２方向で、かつ第１走査領域を走査する光ビームを潜像形成用光ビームとして有効画像領域に照射して有効画像領域にライン潜像を形成することによって、各画像形成手段でのライン潜像の形成位置を調整することを特徴としている。
【０００９】
また、この発明にかかる画像形成方法は、その表面に主走査方向において所定幅の有効画像領域が設けられるとともに該表面が主走査方向とほぼ直交する副走査方向に駆動される、潜像担持体上に潜像を形成するとともに、互いに異なる色のトナーにより潜像を現像してトナー像を形成する、複数の画像形成手段を用いてカラー画像を転写媒体上に形成する画像形成方法であって、上記第１の目的を達成するため、複数の画像形成手段の一部において、振動する偏向ミラー面によって光源からの光ビームを主走査方向の第１方向で、かつ潜像担持体の有効画像領域に照射して有効画像領域に潜像を形成する一方、残りの画像形成手段において、振動する偏向ミラー面によって光源からの光ビームを第１方向と逆の第２方向で、かつ潜像担持体の有効画像領域に照射して有効画像領域に潜像を形成することによって各画像形成手段での潜像の形成位置を調整しながら、各潜像を現像してトナー像を形成する像形成工程と、複数の画像形成手段の各々により形成されたトナー像を転写媒体上で重ね合わせてカラー画像を形成する転写工程とを備えたことを特徴としている。
【００１０】
このように構成された発明（画像形成装置および方法）では、画像形成手段の各々において光源からの光ビームが振動する偏向ミラー面により偏向され、光ビームを主走査方向に往復走査させることが可能となっている。ここで、主走査方向の第１方向に走査される光ビームによりライン潜像ＬＩ(+X)を形成する場合と、第１方向と逆の第２方向に走査される光ビームによりライン潜像ＬＩ(-X)を形成する場合とを対比すると、次のことがわかる。すなわち、図１０に示すように、両ライン潜像ＬＩ(+X)，ＬＩ(-X)は一致せず、互いに逆方向に傾斜している。したがって、潜像形成に用いる光ビームの走査方向を選択的に切り換えることで潜像担持体上でのライン潜像の形成位置を１画素以下で調整することができる。そこで、この発明では、複数の画像形成手段のうち一部については潜像形成用光ビームを第１方向に走査させてライン潜像を形成する一方、残りについては潜像形成用光ビームを第２方向に走査させてライン潜像を形成することによって各画像形成手段でのライン潜像の形成位置が調整され、その結果、各潜像担持体に形成されるライン潜像の相対的な位置ずれを抑制して高品質なカラー画像を形成することが可能となっている。
【００１１】
また、この発明では、光ビームを主走査方向に往復走査させることが可能となっているため、複数の画像形成手段の各々に潜像形成用光ビームの走査方向を切り換える方向制御部を設けることでライン潜像の形成位置を容易に、しかも迅速に切り換えることができる。例えば、方向制御部によって潜像形成部の光源の発光タイミングを制御して潜像形成用光ビームの走査方向を切り換えるように構成してもよい。
【００１２】
また、この種の画像形成装置では、各画像形成手段での潜像形成動作を制御するために、各潜像形成部では光ビームが第１走査領域よりも広い第２走査領域で主走査方向に走査されるとともに、各画像形成手段に走査光ビームを検出する検出部が設けられるが、次のように配置するのが望ましい。すなわち、画像形成装置では、潜像担持体の表面を副走査方向に駆動するために駆動手段が設けられている。特に、装置の小型化を図る上で、従来より主走査方向における潜像担持体の一方端部に駆動手段が機械的に接続され、該駆動手段から潜像担持体の一方端部側に駆動力が伝達されて潜像担持体が駆動されることが多い。このため、潜像担持体の一方端部は他方端部に比べて機械振動の影響を受けやすい。そこで、次の条件、つまり
・主走査方向における駆動手段の反対側（潜像担持体の他方端部側）、
・第２走査領域内で、かつ第１走査領域を外れている、
の２つの条件を満足する位置に検出部を配設することで機械振動の影響を抑えて画像品質の向上を図るようにしてもよい。
【００１３】
また、上記においては主走査方向の一方端側で検出される信号により潜像形成動作を制御するように構成しているが、主走査方向の両方向側の各々において第２走査領域内で、かつ第１走査領域を外れた位置を移動する走査光ビームを検出して信号を出力する検出部を設け、検出部から出力される検出信号に基づき潜像形成動作を制御するようにしてもよい。この場合、特に潜像形成用光ビームの走査方向の上流側に配置された検出部から出力される検出信号に基づき潜像形成動作を制御するのが望ましい。これにより、光ビームの始点側で検出信号が出力され、それを用いて潜像形成動作が制御される。
【００１４】
さらに、この発明にかかるデータ制御装置は、１ライン画像データに基づき光源を制御しながら該光源から潜像形成用光ビームを射出させるとともに該光ビームを潜像担持体上で第１方向に走査させて１ライン画像データに対応する潜像を潜像担持体に形成する第１潜像形成部と、１ライン画像データに基づき光源を制御しながら該光源から潜像形成用光ビームを射出させるとともに該光ビームを潜像担持体上で第１方向と逆の第２方向に走査させて１ライン画像データに対応する潜像を潜像担持体に形成する第２潜像形成部とを備えた画像形成装置において、１ライン画像データを制御するデータ制御装置であって、上記第２の目的を達成するため、１ライン画像データを構成する複数の画像情報を一時的に記憶する記憶手段と、記憶手段に記憶されている画像情報を読出して該画像情報に基づき光源を制御する順序を第１潜像形成部と第２潜像形成部とで切り換える方向切換手段とを備えたことを特徴としている。
【００１５】
このように構成された発明では、記憶手段に記憶されている画像情報が読出されて該画像情報に基づき光源を制御する順序が第１潜像形成部と第２潜像形成部とで切り換えられる。すなわち、潜像形成部の光源の発光タイミングがデータ制御装置により制御されて潜像形成用光ビームの走査方向が切り換えられる。このため、ライン潜像の形成位置を容易に、しかも迅速に切り換えることができる。
【図面の簡単な説明】
【００１６】
【図１】本発明にかかる画像形成装置の一実施形態を示す図。
【図２】図１の画像形成装置の電気的構成を示すブロック図。
【図３】図１の画像形成装置における露光ユニットの構成を示す主走査断面図。
【図４】図３の露光ユニットにおける光ビームの走査領域を示す図。
【図５】図１の画像形成装置における信号処理ブロックを示す図。
【図６】従来装置の潜像形成動作により形成される潜像を示す図。
【図７】図１の画像形成装置の潜像形成動作により形成される潜像を示す図。
【図８】本発明にかかる画像形成装置の他の実施形態を示す図。
【図９】本発明にかかる画像形成装置の別の実施形態を示す図。
【図１０】図１の画像形成装置により形成されるライン潜像を示す図。
【発明を実施するための形態】
【００１７】
図１は本発明にかかる画像形成装置の一実施形態を示す図である。また、図２は図１の画像形成装置の電気的構成を示すブロック図である。この画像形成装置は、いわゆるタンデム方式のカラープリンタであり、潜像担持体としてイエロー（Ｙ）、マゼンタ（Ｍ）、シアン（Ｃ）、ブラック（Ｋ）の４色の感光体２Ｙ、２Ｍ、２Ｃ、２Ｋを装置本体５内に並設している。そして、各感光体２Ｙ、２Ｍ、２Ｃ、２Ｋ上のトナー像を重ね合わせてフルカラー画像を形成したり、ブラック（Ｋ）のトナー像のみを用いてモノクロ画像を形成する装置である。すなわち、この画像形成装置では、ユーザからの画像形成要求に応じてホストコンピュータなどの外部装置から印字指令がメインコントローラ１１に与えられると、このメインコントローラ１１のＣＰＵ１１１からの印字指令に応じてエンジンコントローラ１０がエンジン部ＥＧの各部を制御して複写紙、転写紙、用紙およびＯＨＰ用透明シートなどのシートＳに印字指令に対応する画像を形成する。
【００１８】
このエンジン部ＥＧでは、４つの感光体２Ｙ、２Ｍ、２Ｃ、２Ｋのそれぞれに対応して帯電ユニット、現像ユニット、露光ユニットおよびクリーニング部が設けられている。このように、各トナー色ごとに、感光体、帯電ユニット、現像ユニット、露光ユニットおよびクリーニング部を備えて該トナー色のトナー像を形成する画像形成手段が設けられている。なお、これらの画像形成手段（感光体、帯電ユニット、現像ユニット、露光ユニットおよびクリーニング部）の構成はいずれの色成分についても同一であるため、ここではイエローに関する構成について説明し、その他の色成分については相当符号を付して説明を省略する。
【００１９】
感光体２Ｙは図１の矢印方向（副走査方向）に回転自在に設けられている。より具体的には、感光体２Ｙの一方端部には、駆動モータＭＴが機械的に接続されている。そして、この駆動モータＭＴと電気的に接続されたモータ制御部１０５にＣＰＵ１０１から駆動指令が与えられると、モータ制御部１０５が駆動モータＭＴを駆動制御する。これによって感光体２Ｙが回転移動する。このように、この実施形態では、感光体２Ｙの一方端部側のみに駆動モータＭＴからの駆動力を伝達して感光体２Ｙを駆動している。また、この実施形態では、駆動モータＭＴの配設位置、後述する水平同期センサ６０および光ビームの走査方向とが所定関係を満たすように設定されている。なお、この点に関しては、後で詳述する。
【００２０】
このようにして駆動される感光体２Ｙの周りにその回転方向に沿って、帯電ユニット３Ｙ、現像ユニット４Ｙおよびクリーニング部（図示省略）がそれぞれ配置されている。帯電ユニット３Ｙは例えばスコロトロン帯電器で構成されており、帯電制御部１０３からの帯電バイアス印加によって感光体２Ｙの外周面を所定の表面電位に均一に帯電させる。そして、この帯電ユニット３Ｙによって帯電された感光体２Ｙの外周面に向けて露光ユニット６Ｙから走査光ビームＬyが照射される。これによって印字指令に含まれるイエロー画像データに対応する静電潜像が感光体２Ｙ上に形成される。このように露光ユニット６Ｙは本発明の「潜像形成部」に相当するものであり、露光制御部１０２Ｙ（図４）からの制御指令に応じて動作する。なお、露光ユニット６（６Ｙ，６Ｍ，６Ｃ，６Ｋ）および露光制御部１０２（１０２Ｙ，１０２Ｍ，１０２Ｃ．１０２Ｋ）の構成および動作については後で詳述する。
【００２１】
こうして形成された静電潜像は現像ユニット４Ｙによってトナー現像される。この現像ユニット４Ｙはイエロートナーを内蔵している。そして、現像器制御部１０４から現像バイアスが現像ローラ４１Ｙに印加されると、現像ローラ４１Ｙ上に担持されたトナーが感光体２Ｙの表面各部にその表面電位に応じて部分的に付着する。その結果、感光体２Ｙ上の静電潜像がイエローのトナー像として顕像化される。なお、現像ローラ４１Ｙに与える現像バイアスとしては、直流電圧、もしくは直流電圧に交流電圧を重畳したもの等を用いることができるが、特に感光体２Ｙと現像ローラ４１Ｙとを離間配置し、両者の間でトナーを飛翔させることでトナー現像を行う非接触現像方式の画像形成装置では、効率よくトナーを飛翔させるために直流電圧に対して正弦波、三角波、矩形波等の交流電圧を重畳した電圧波形とすることが好ましい。
【００２２】
現像ユニット４Ｙで現像されたイエロートナー像は、一次転写領域ＴＲy1で転写ユニット７の中間転写ベルト７１上に一次転写される。また、イエロー以外の色成分についても、イエローと全く同様に構成されており、感光体２Ｍ、２Ｃ、２Ｋ上にマゼンタトナー像、シアントナー像、ブラックトナー像がそれぞれ形成されるとともに、一次転写領域ＴＲm1、ＴＲc1、ＴＲk1でそれぞれ中間転写ベルト７１上に一次転写される。
【００２３】
この転写ユニット７は、２つのローラ７２、７３に掛け渡された中間転写ベルト７１と、ローラ７２を回転駆動することで中間転写ベルト７１を所定の回転方向Ｒ2に回転させるベルト駆動部（図示省略）とを備えている。また、中間転写ベルト７１を挟んでローラ７３と対向する位置には、該ベルト７１表面に対して不図示の電磁クラッチにより当接・離間移動可能に構成された二次転写ローラ７４が設けられている。そして、カラー画像をシートＳに転写する場合には、一次転写タイミングを制御することで各トナー像を重ね合わせてカラー画像を中間転写ベルト７１上に形成するとともに、カセット８から取り出されて中間転写ベルト７１と二次転写ローラ７４との間の二次転写領域ＴＲ2に搬送されてくるシートＳ上にカラー画像を二次転写する。一方、モノクロ画像をシートＳに転写する場合には、ブラックトナー像のみを感光体２Ｋに形成するとともに、二次転写領域ＴＲ2に搬送されてくるシートＳ上にモノクロ画像を二次転写する。また、こうして画像の２次転写を受けたシートＳは定着ユニット９を経由して装置本体の上面部に設けられた排出トレイ部に向けて搬送される。
【００２４】
なお、中間転写ベルト７１へトナー像を一次転写した後の各感光体２Ｙ、２Ｍ、２Ｃ、２Ｋは、不図示の除電手段によりその表面電位がリセットされ、さらに、その表面に残留したトナーがクリーニング部により除去された後、帯電ユニット３Ｙ、３Ｍ、３Ｃ、３Ｋにより次の帯電を受ける。
【００２５】
また、ローラ７２の近傍には、転写ベルトクリーナ７５、濃度センサ７６（図２）および垂直同期センサ７７（図２）が配置されている。これらのうち、クリーナ７５は図示を省略する電磁クラッチによってローラ７２に対して近接・離間移動可能となっている。そして、ローラ７２側に移動した状態でクリーナ７５のブレードがローラ７２に掛け渡された中間転写ベルト７１の表面に当接し、二次転写後に中間転写ベルト７１の外周面に残留付着しているトナーを除去する。また、濃度センサ７６は、中間転写ベルト７１の表面に対向して設けられており、中間転写ベルト７１の外周面に形成されるパッチ画像の光学濃度を測定する。さらに、垂直同期センサ７７は、中間転写ベルト７１の基準位置を検出するためのセンサであり、中間転写ベルト７１の副走査方向への回転駆動に関連して出力される同期信号、つまり垂直同期信号Ｖsyncを得るための垂直同期センサとして機能する。そして、この装置では、各部の動作タイミングを揃えるとともに各色のトナー像を正確に重ね合わせるために、装置各部の動作はこの垂直同期信号Ｖsyncに基づいて制御される。また、ローラ７２，７３の間には、色ずれセンサ７８が配置されており、各色のトナー像の色ずれ量を検出する。
【００２６】
なお、図２において、符号１１３はホストコンピュータなどの外部装置よりインターフェース１１２を介して与えられた画像データを記憶するためにメインコントローラ１１に設けられた画像メモリであり、符号１０６はＣＰＵ１０１が実行する演算プログラムやエンジン部ＥＧを制御するための制御データなどを記憶するためのＲＯＭ、また符号１０７はＣＰＵ１０１における演算結果やその他のデータを一時的に記憶するＲＡＭである。
【００２７】
図３は図１の画像形成装置に装備された露光ユニットの構成を示す主走査断面図であり、図４は図３の露光ユニットにおける光ビームの走査領域を示す図であり、図５は図１の画像形成装置における信号処理ブロックを示す図である。以下、これらの図面を参照しつつ、露光ユニット６および露光制御部１０２の構成および動作について詳述する。なお、露光ユニット６および露光制御部１０２の構成はいずれの色成分についても同一であるため、ここではイエローに関する構成について説明し、その他の色成分については相当符号を付して説明を省略する。
【００２８】
この露光ユニット６Ｙ（６Ｍ，６Ｃ，６Ｋ）は露光筐体６１を有している。そして、露光筐体６１に単一のレーザー光源６２Ｙが固着されており、レーザー光源６２Ｙから光ビームを射出可能となっている。このレーザー光源６２Ｙは、図５に示す露光制御部１０２Ｙの光源駆動部（図示省略）と電気的に接続されている。そして、次のようにして画像信号に応じて光源駆動部がレーザー光源６２ＹをＯＮ／ＯＦＦ制御してレーザー光源６２Ｙから画像データに対応して変調された光ビームが射出される。以下、図５を参照しつつ説明する。
【００２９】
この画像形成装置では、ホストコンピュータ１００などの外部装置から画像信号が入力されると、メインコントローラ１１がその画像信号に対し所定の信号処理を施す。メインコントローラ１１は、色変換部１１４、画像処理部１１５、２種類のラインバッファ１１６Ａ，１１６Ｂ、方向切換部１１６Ｃ、パルス変調部１１７、階調補正テーブル１１８および補正テーブル演算部１１９などの機能ブロックを備えている。
【００３０】
また、エンジンコントローラ１０は、図２に示すＣＰＵ１０１、ＲＯＭ１０６、ＲＡＭ１０７、露光制御部１０２以外に、濃度センサ７６の検出結果に基づきエンジン部ＥＧのガンマ特性を示す階調特性を検出する階調特性検出部１２３を備えている。なお、メインコントローラ１１およびエンジンコントローラ１０においては、これらの各機能ブロックはハードウェアにより構成されてもよく、またＣＰＵ１１１、１０１により実行されるソフトウェアによって実現されてもよい。
【００３１】
ホストコンピュータ１００から画像信号が与えられたメインコントローラ１１では、色変換部１１４がその画像信号に対応する画像内の各画素のＲＧＢ成分の階調レベルを示したＲＧＢ階調データを、対応するＣＭＹＫ成分の階調レベルを示したＣＭＹＫ階調データへ変換する。この色変換部１１４では、入力ＲＧＢ階調データは例えば１画素１色成分当たり８ビット（つまり２５６階調を表す）であり、出力ＣＭＹＫ階調データも同様に１画素１色成分当たり８ビット（つまり２５６階調を表す）である。色変換部１１４から出力されるＣＭＹＫ階調データは画像処理部１１５に入力される。
【００３２】
この画像処理部１１５は、各色成分ごとに以下の処理を実行する。すなわち、色変換部１１４から入力された各画素の階調データに対し階調補正およびハーフトーニング処理を行う。すなわち、画像処理部１１５は、不揮発性メモリに予め登録されている階調補正テーブル１１８を参照し、その階調補正テーブル１１８にしたがい、色変換部１１４からの各画素の入力階調データを、補正された階調レベルを示す補正階調データに変換する。この階調補正の目的は、上記のように構成されたエンジン部ＥＧのガンマ特性変化を補償して、この画像形成装置の全体的ガンマ特性を常に理想的なものに維持することにある。すなわち、この種の画像形成装置では、装置のガンマ特性が装置個体ごとに、また同一の装置においてもその使用状況によって変化する。そこで、このようなガンマ特性のばらつきが画像品質に及ぼす影響を除くため、所定のタイミングで、前記した階調補正テーブル１１８の内容を画像濃度の実測結果に基づいて更新する階調制御処理を実行する。
【００３３】
この階調制御処理では、各トナー色毎に、ガンマ特性を測定するために予め用意された階調補正用の階調パッチ画像がエンジン部ＥＧによって中間転写ベルト７１上に形成され、各階調パッチ画像の画像濃度を濃度センサ７６が読み取り、その濃度センサ７６からの信号に基づき階調特性検出部１２３が各階調パッチ画像の階調レベルと、検出した画像濃度とを対応させた階調特性（エンジン部ＥＧのガンマ特性）を作成し、メインコントローラ１１の補正テーブル演算部１１９に出力する。そして、補正テーブル演算部１１９が、階調特性検出部１２３から与えられた階調特性に基づき、実測されたエンジン部ＥＧの階調特性を補償して理想的な階調特性を得るための階調補正テーブルデータを計算し、階調補正テーブル１１８の内容をその計算結果に更新する。こうして階調補正テーブル１１８を変更設定する。こうすることで、この画像形成装置では、装置のガンマ特性のばらつきや経時変化によらず、安定した品質で画像を形成することができる。
【００３４】
こうして補正された補正階調データに対して、画像処理部１５は誤差拡散法、ディザ法、スクリーン法などのハーフトーニング処理を行い、１画素１色当たり８ビットのハーフトーン階調データを２種類のラインバッファ１１６Ａ，１６Ｂに入力する。なお、ハーフトーニング処理の内容は、形成すべき画像の種類により異なる。すなわち、その画像がモノクロ画像かカラー画像か、あるいは線画かグラフィック画像かなどの判定基準に基づき、その画像に最適な処理内容が選択され実行される。
【００３５】
これらのラインバッファ１１６Ａ，１６Ｂは画像処理部１５から出力される１ライン画像データを構成するハーフトーン階調データ（画像情報）を記憶するものである点で共通するが、階調データの読出し順序が相違する。すなわち、順方向ラインバッファ１１６Ａは１ライン画像データを構成するハーフトーン階調データを先頭から順方向に出力するものであるのに対し、逆方向ラインバッファ１１６Ｂは最後から逆方向に出力するものである。
【００３６】
そして、こうして出力されるハーフトーン階調データは方向切換部１１６Ｃに入力され、方向切換信号に基づき一方のラインバッファから出力されるハーフトーン階調データのみが適当なタイミングで方向切換部１１６Ｃからパルス変調部１１７に出力される。このように２種類のラインバッファ１１６Ａ，１１６Ｂを設けた主たる理由は、後述するように各色成分ごとに潜像形成用光ビームの走査方向が相違することに対応するためである。また、方向切換部１１６Ｃによって各色成分に対応したタイミングおよび順序で階調データがパルス変調部１１７に入力される。このように、この実施形態では、ラインバッファ１１６Ａ，１１６Ｂおよび方向切換部１１６Ｃが本発明の「方向制御部」および「データ制御装置」に相当している。
【００３７】
このパルス変調部１１７に入力されたハーフトーニング後の階調データは、各画素に付着させるべき各色のトナードットのサイズおよびその配列を示す多値信号であり、かかるデータを受け取ったパルス変調部１１７は、そのハーフトーン階調データを用いて、エンジン部ＥＧの各色画像の露光レーザパルスをパルス幅変調するためのビデオ信号を作成し、図示を省略するビデオインターフェースを介してエンジンコントローラ１０に出力する。そして、このビデオ信号を受けた露光制御部１０２Ｙの光源駆動部（図示省略）が露光ユニット６のレーザー光源６２ＹをＯＮ／ＯＦＦ制御する。また、他の色成分についても同様である。
【００３８】
次に、図３および図４に戻って説明を続ける。露光筐体６１の内部には、レーザー光源６２Ｙからの光ビームを感光体２Ｙの表面（図示省略）に走査露光するために、コリメータレンズ６３１、シリンドリカルレンズ６３２、偏向器６５、走査レンズ６６が設けられている。すなわち、レーザー光源６２Ｙからの光ビームは、コリメータレンズ６３１により適当な大きさのコリメート光にビーム整形された後、副走査方向Ｙにのみパワーを有するシリンドリカルレンズ６３２に入射される。そして、シリンドリカルレンズ６３２を調整することでコリメート光は副走査方向Ｙにおいて偏向器６５の偏向ミラー面６５１付近で結像される。このように、この実施形態では、コリメータレンズ６３１およびシリンドリカルレンズ６３２がレーザー光源６２Ｙからの光ビームを整形するビーム整形系６３として機能している。
【００３９】
この偏向器６５は半導体製造技術を応用して微小機械を半導体基板上に一体形成するマイクロマシニング技術を用いて形成されるものであり、共振振動する振動ミラーで構成されている。すなわち、偏向器６５では、共振振動する偏向ミラー面６５１により光ビームを主走査方向Ｘに偏向可能となっている。より具体的には、偏向ミラー面６５１は主走査方向Ｘとほぼ直交する揺動軸（ねじりバネ）周りに揺動自在に軸支されるとともに、作動部（図示省略）から与えられる外力に応じて揺動軸周りに正弦揺動する。この作動部は露光制御部１０２のミラー駆動部（図示省略）からのミラー駆動信号に基づき偏向ミラー面６５１に対して静電気的、電磁気的あるいは機械的な外力を作用させて偏向ミラー面６５１をミラー駆動信号の周波数で揺動させる。なお、作動部による駆動方式は静電吸着、電磁気力あるいは機械力などのいずれの方式を採用してもよく、それらの駆動方式は周知であるため、ここでは説明を省略する。
【００４０】
偏向器６５の偏向ミラー面６５１で偏向された光ビームは図４に示すように最大振幅角θmaxで走査レンズ６６に向けて偏向される。この実施形態では、走査レンズ６６は、感光体２の有効画像領域ＩＲの全域においてＦ値が略同一となるように構成されている。したがって、走査レンズ６６に向けて偏向された光ビームは、走査レンズ６６を介して感光体２の表面の有効画像領域ＩＲに略同一のスポット径で結像される。これにより、光ビームが主走査方向Ｘと平行に走査して主走査方向Ｘに伸びるライン状の潜像が感光体２の有効画像領域ＩＲ上に形成される。なお、この実施形態では、偏向器６５により走査可能な走査領域（本発明の「第２走査領域」）ＳＲ2は、図４に示すように、有効画像領域ＩＲ上で光ビームを走査させるための走査領域（本発明の「第１走査領域」）ＳＲ1よりも広く設定されている。また、第１走査領域ＳＲ1が第２走査領域ＳＲ2の略中央部に位置しており、光軸に対してほぼ対称となっている。さらに、同図中の符号θirは有効画像領域ＩＲの端部に対応する偏向ミラー面６５１の振幅角を示し、符号θsは次に説明する水平同期センサに対応する偏向ミラー面６５１の振幅角を示している。
【００４１】
また、上記のように構成された装置では、光ビームを主走査方向に往復走査することができる、つまり光ビームを（＋Ｘ）方向にも、（−Ｘ）方向にも走査可能となっている。そして、上記したように１ライン画像データを構成する階調データを記憶部（ラインバッファ１１６Ａ，１１６Ｂ）に一時的に記憶しておき、方向切換部１１６Ｃが適当なタイミングおよび順序で階調データをパルス変調部１１７に与える。例えば（＋Ｘ）方向に切り換えられた場合には、図１０（ａ）に示すように、ラインバッファ１１６Ａから階調データＤＴ1，ＤＴ2，…ＤＴnの順序で読み出され、各階調データに基づきビームスポットが第１方向（＋Ｘ）に感光体２上に照射されてライン潜像ＬＩ(+X)が形成される。一方、（−Ｘ）方向に切り換えられた場合には、図１０（ｂ）に示すように、ラインバッファ１１６Ｂから階調データＤＴn，ＤＴ(n-1)，…ＤＴ1の順序で読み出され、各階調データに基づきビームスポットが第２方向（−Ｘ）に感光体２上に照射されてライン潜像ＬＩ(-X)が形成される。このため、次のように潜像形成のための光ビーム（本発明の「潜像形成用光ビーム」に相当）が色成分ごとに相違させることができる。より具体的には、この実施形態では、図６に示す色ずれを抑制するため、マゼンタおよびブラックについては、（＋Ｘ）方向で、かつ第１走査領域ＳＲ1を走査する光ビームＳＬ1を有効画像領域ＩＲに導いて有効画像領域ＩＲに潜像を形成する（図４および図７参照）。一方、イエローおよびシアンについては、（−Ｘ）方向で、かつ第１走査領域ＳＲ1を走査する光ビームＳＬ2を有効画像領域ＩＲに導いて有効画像領域ＩＲに潜像を形成する（図４および図７参照）。したがって、この実施形態では、（＋Ｘ）および（−Ｘ）方向が本発明の「第１方向」および「第２方向」にそれぞれ相当する。そして、マゼンタおよびブラックの露光ユニット６Ｍ，６Ｋが本発明の「第１潜像形成部」に相当する一方、イエローおよびシアンの露光ユニット６Ｙ，６Ｃが本発明の「第２潜像形成部」に相当する。
【００４２】
また、この実施形態では、該走査方向と駆動モータＭＴの配設位置とは次の関係を満足するように予め設定されている。すなわち、駆動モータＭＴは走査方向（＋Ｘ）の下流側に配置されている。また、図３に示すように、走査方向（＋Ｘ）の上流側において走査光ビームの走査経路の端部を折り返しミラー６９により水平同期センサ６０に導いている。この折り返しミラー６９は走査方向（＋Ｘ）の上流側における第２走査領域ＳＲ2の端部に配置され、走査方向（＋Ｘ）の上流側において第２走査領域ＳＲ2内で、かつ第１走査領域ＳＲ1を外れた位置を移動する走査光ビームを水平同期センサ６０に導光する。そして、水平同期センサ６０により該走査光ビームが受光されてセンサ位置（振幅角θs）を通過するタイミングで信号が水平同期センサ６０から出力される。このように、本実施形態では、水平同期センサ６０を、光ビームが有効画像領域ＩＲを主走査方向Ｘに走査する際の同期信号、つまり水平同期信号Ｈsyncを得るための水平同期用読取センサとして機能させており、水平同期信号Ｈsyncに基づき潜像形成動作を制御する。以下、図面を参照しつつ従来装置での潜像形成動作と本実施形態にかかる装置での潜像形成動作について対比説明する。
【００４３】
図６は従来装置の潜像形成動作により形成される潜像を示す図であり、図７は本実施形態の潜像形成動作により形成される潜像を示す図である。なお、両図中の１点鎖線は走査線の軌跡を示す仮想線であり、太線矢印は潜像形成用の走査光ビームを示している。例えば特許文献１に記載の従来装置では、いずれの色成分においても、同一方向（＋Ｘ）に走査される潜像形成用光ビームＳＬ1によって潜像が形成され、例えば図６に示すように、基準線ＲＬに対して各ライン潜像ＬＩy，ＬＩm，ＬＩc，ＬＩkは傾斜している。このようなスキュー状態にある場合には、従来装置では例えばイエローおよびマゼンタについて露光ユニットの構成要素の一部を互いに異なる２軸方向に機械的に微小移動させてスキュー調整を行い、それによって色ずれを補正していた。したがって、色ずれを高精度に補正することが困難であった。
【００４４】
これに対し、本実施形態では、色ずれセンサ７８からの出力信号によりエンジンコントローラ１０のＣＰＵ１０１は各色の色ずれ量を計測し、スキュー状態を求めている。そして、ＣＰＵ１０１は、各ライン潜像ＬＩy，ＬＩm，ＬＩc，ＬＩkが画像形成手段に共通する基準線ＲＬに対して一致または同一方向に傾斜するように、各露光ユニット６に対応して方向切換信号を設定し、方向切換部１１６Ｃに与える。例えば補正前の装置が図６に示すスキュー状態となっている場合には、上記したようにマゼンタおよびブラックについては、（＋Ｘ）方向に走査される光ビームＳＬ1を用いてライン潜像ＬＩm、ＬＩkを形成する一方、イエローおよびシアンについては、（−Ｘ）方向に走査される光ビームＳＬ2を用いてライン潜像ＬＩy、ＬＩcを形成する。
【００４５】
以上のように、この実施形態によれば、振動する偏向ミラー面によって光ビームを主走査方向に往復走査可能に構成するとともに、スキュー状態に応じて方向切換信号を設定している。これによって、４色の露光ユニット６の一部については潜像形成用光ビームＳＬ1を用いてライン潜像を形成する一方、残りについては潜像形成用光ビームＳＬ2を用いてライン潜像を形成している。したがって、各感光体２でのライン潜像の形成位置が１画素以下の精度で調整され、その結果、ライン潜像ＬＩy，ＬＩm，ＬＩc，ＬＩkの相対的な位置ずれを高精度に補正して高品質なカラー画像を形成することが可能となっている。なお、上記実施形態では、マゼンタおよびブラックについては光ビームＳＬ1を用いる一方、イエローおよびシアンについては光ビームＳＬ2を用いるが、それらの組み合わせは色ずれセンサ７８からの出力信号に基づき設定すればよい。
【００４６】
また、１ライン画像データを構成する階調データを記憶部（ラインバッファ１１６Ａ，１１６Ｂ）に一時的に記憶しておき、方向切換部１１６Ｃによって適当なタイミングおよび順序で階調データを読出することによって、潜像形成用光ビームの走査方向を切り換えている。このため、従来装置に比べてライン潜像の形成位置を容易に、しかも迅速に切り換えることができる。
【００４７】
また、この実施形態では、駆動モータＭＴが図４に示すように第１方向（＋Ｘ）の下流側で感光体２の端部と機械的に接続され、感光体２を回転駆動している。したがって、感光体２の一方端部は他方端部に比べて機械振動の影響を受けやすい。そこで、本実施形態では、次の２つの条件、つまり、
・主走査方向Ｘにおける駆動モータＭＴの反対側（感光体２の他方端部側）、
・第２走査領域ＳＲ2内で、かつ第１走査領域ＳＲ1を外れている、
の２つの条件を満足する位置に水平同期センサ６０が配設されている。このように、機械振動の影響を受けにくい位置に本発明の「検出部」に相当するセンサ６０が配置されているので、機械振動の影響が抑制された状態で水平同期信号を得ることができる。その結果、潜像を良好に形成し、画像品質を向上させることができる。
【００４８】
なお、本発明は上記した実施形態に限定されるものではなく、その趣旨を逸脱しない限りにおいて上述したもの以外に種々の変更を行うことが可能である。例えば、上記実施形態では、主走査方向Ｘにおける駆動モータＭＴの反対側で検出した水平同期信号に基づき潜像形成動作を制御しているが、センサの個数や配置などについてはこれに限定されるものではない。例えば、図８に示すように、走査光ビームの走査経路の両端側を折り返しミラー６９ａ，６９ｂにより水平同期センサ６０Ａ，６０Ｂに導くように構成してもよい。この装置では、水平同期センサ６０Ａ，６０Ｂにより該走査光ビームが受光されてセンサ位置（振幅角θs）を通過するタイミングで信号が水平同期センサ６０Ａ，６０Ｂから出力される。そこで、各センサ６０Ａ，６０Ｂの出力信号に基づき潜像形成動作を制御するようにしてもよい。また、主走査方向Ｘの両側で検出信号を得ることができるため、潜像形成用光ビームの走査方向の上流側に配置されたセンサ（検出部）から出力される検出信号に基づき潜像形成動作を制御するようにしてもよい。また、図９に示すように、１個の水平同期センサ６０Ｃと折り返しミラー６９ｃ〜６９ｅで走査光ビームを検出するようにしてもよい。
【００４９】
また、上記実施形態では、中間転写ベルトなどの中間転写媒体に一時的にカラー画像を形成した後に該カラー画像をシートＳに転写する画像形成装置に対して本発明を適用しているが、各トナー像を直接シート上で重ね合わせてカラー画像を形成する装置に対しても適用可能である。この場合、シートが本発明の「転写媒体」に相当する。
【００５０】
また、上記実施形態では、振動する偏向ミラー面６５１をマイクロマシニング技術を用いて形成しているが、偏向ミラー面の製造方法はこれに限定されるものではなく、振動する偏向ミラー面を用いて光ビームを偏向して潜像担持体上に光ビームを走査させる、いわゆるタンデム方式の画像形成装置全般に本発明を適用することができる。
【符号の説明】
【００５１】
２，２Ｙ，２Ｍ，２Ｃ，２Ｋ…感光体（潜像担持体）、  ６，６Ｙ，６Ｍ，６Ｃ，６Ｋ…露光ユニット（潜像形成部）、  ６０，６０Ａ〜６０Ｃ…水平同期センサ（検出器）、  ６２，６２Ｙ，６２Ｍ，６２Ｃ，６２Ｋ…レーザー光源、  ７１…中間転写ベルト（転写媒体）、  ６５１…偏向ミラー面、  ＤＴ1，ＤＴ2，ＤＴ(n-1)，ＤＴn…階調データ（画像情報）、  ＩＲ…有効画像領域、  Ｌy，Ｌm，Ｌc，Ｌk…走査光ビーム、  ＬＩy，ＬＩm，ＬＩc，ＬＩk，ＬＩ(+X)，ＬＩ(-X)…ライン潜像、  ＭＴ…駆動モータ（駆動手段）、  ＳＬ1，ＳＬ2…走査光ビーム、  Ｘ…主走査方向、  Ｙ…副走査方向
【図１】
2010033060.tif 000003
【図２】
2010033060.tif 000004
【図３】
2010033060.tif 000005
【図４】
2010033060.tif 000006
【図５】
2010033060.tif 000007
【図６】
2010033060.tif 000008
【図７】
2010033060.tif 000009
【図８】
2010033060.tif 000010
【図９】
2010033060.tif 000011
【図１０】
2010033060.tif 000012
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
複数の画像形成手段を有し、前記画像形成手段で形成されるトナー像を用いてカラー画像を形成する画像形成装置であって、
前記複数の画像形成手段は、
潜像担持体と、
振動する偏向面を介して光ビームを照射して潜像を形成する潜像形成部と
を備え、
前記複数の画像形成手段のうちの少なくとも一の画像形成手段における前記潜像形成部は前記主走査方向の第１方向で潜像を形成し、前記複数の画像形成手段のうちの他の画像形成手段における前記潜像形成部は前記第１方向と逆方向となる第２方向で、潜像を形成し、前記複数の画像形成手段での潜像の副走査方向における形成位置を調整することを特徴とする画像形成装置。
【請求項２】
前記複数の画像形成手段は、前記潜像形成用光ビームの走査方向を変更する方向制御部を備える請求項１記載の画像形成装置。
【請求項３】
前記方向制御部は前記潜像形成部の光源の発光タイミングを制御して前記光ビームの走査方向を変更する請求項２記載の画像形成装置。
【請求項４】
前記潜像が前記複数の画像形成手段に共通する基準線に対して一致または同方向に傾斜するように前記光ビームの走査方向が設定される請求項１ないし３のいずれかに記載の画像形成装置。
【請求項５】
前記主走査方向における前記潜像担持体の一方端部と接続されて前記潜像担持体を前記副走査方向に駆動する駆動手段を備え、
前記複数の潜像形成部は前記光ビームを画像領域に対応する第１走査領域よりも広い第２走査領域で前記主走査方向に走査可能に構成され、
前記複数の画像形成手段は、前記主走査方向における前記駆動手段の反対側の前記第２走査領域内で、前記第１走査領域を外れた位置の前記光ビームを検出する検出部を備え、前記検出部から出力される検出信号に基づき潜像形成動作を制御する請求項１ないし４のいずれかに記載の画像形成装置。
【請求項６】
前記複数の画像形成手段は、前記主走査方向の両側の前記第２走査領域内で、前記第１走査領域を外れた位置の前記光ビームを検出する検出部を備え、前記検出部から出力される検出信号に基づき潜像形成動作を制御する請求項１ないし４のいずれかに記載の画像形成装置。
【請求項７】
複数の画像形成手段を有し、前記画像形成手段で形成されるトナー像を重ね合わせてカラー画像を形成する画像形成装置であって、
前記複数の画像形成手段は、
潜像担持体と、
振動する偏向面を介して光ビームを照射してライン潜像を形成する潜像形成部と
を備え、
全ての前記画像形成手段で潜像形成に用いる光ビームの走査方向を第１方向に統一すると前記複数の潜像形成部により形成されるライン潜像の傾斜方向が異なるとき、
前記複数の画像形成手段のうちの少なくとも一の画像形成手段における前記潜像形成部は前記主走査方向の第１方向でライン潜像を形成し、前記複数の画像形成手段のうちの他の画像形成手段における前記潜像形成部は前記第１方向と逆方向となる第２方向で、ライン潜像を形成し、前記複数の潜像形成部により形成されるライン潜像を一致またはライン潜像の傾斜方向が同一となるように調整することを特徴とする画像形成装置。
【請求項８】
複数の画像形成手段を用いてカラー画像を形成する画像形成方法であって、
前記複数の画像形成手段の少なくとも一つは、振動する偏向面によって光ビームを前記主走査方向の第１方向で潜像を形成する一方、他の画像形成手段は、振動する偏向面によって光ビームを前記第１方向と逆方向となる第２方向で潜像を形成することによって前記画像形成手段での潜像の副走査方向における形成位置を調整する像形成工程と、
前記複数の画像形成手段により形成されたトナー像を用いてカラー画像を形成する転写工程と
を備えたことを特徴とする画像形成方法。
【請求項９】
複数の画像形成手段を用いてカラー画像を形成する画像形成方法であって、
前記複数の画像形成手段の各々で、振動する偏向面を介して光ビームを潜像担持体に照射してライン潜像を形成するとともに前記ライン潜像を現像してトナー像を形成する工程と、
前記複数の画像形成手段により形成されたトナー像を用いてカラー画像を形成する転写工程と、を備え、
全ての前記画像形成手段で潜像形成に用いる光ビームの走査方向を第１方向に統一すると前記複数の画像形成手段において形成されるライン潜像の傾斜方向が異なるとき、
前記複数の画像形成手段の少なくとも一つは、振動する偏向面によって光ビームを前記主走査方向の第１方向でライン潜像を形成する一方、他の画像形成手段は、振動する偏向面によって光ビームを前記第１方向と逆方向となる第２方向でライン潜像を形成し、前記複数の画像形成手段において形成されるライン潜像を一致またはライン潜像の傾斜方向が同一となるように調整することを特徴とする画像形成方法。
【手続補正３】
【補正対象書類名】明細書
【補正対象項目名】０００１
【補正方法】変更
【補正の内容】
【０００１】
この発明は、いわゆるタンデム方式の画像形成装置および方法に関するものであり、特に振動する偏向ミラー面により光源からの光ビームを走査させる潜像形成部を各トナー色ごとに装備した装置に関するものである。
【手続補正４】
【補正対象書類名】明細書
【補正対象項目名】０００５
【補正方法】変更
【補正の内容】
【０００５】
しかしながら、従来装置では露光ユニットの構成要素の一部、例えばポリゴンミラーを収容する光学箱を機械的に移動調整しているので、調整精度には一定の限界があり、このような機械的な調整限界を超えて補正することができれば、色ずれの補正をさらに高めて高品質な画像を形成することができる。したがって、このような色ずれの補正技術が要望されている。
【手続補正５】
【補正対象書類名】明細書
【補正対象項目名】０００６
【補正方法】変更
【補正の内容】
【０００６】
この発明は上記課題に鑑みなされたものであり、光ビームを潜像担持体上に走査させてライン潜像を形成する潜像形成部を各トナー色ごとに装備した装置において、各潜像担持体に形成される潜像の相対的な位置ずれを抑制して高品質なカラー画像を形成する技術を提供することを目的とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
この発明にかかる画像形成装置の一の態様は、複数の画像形成手段を有し、画像形成手段で形成されるトナー像を用いてカラー画像を形成する画像形成装置であって、複数の画像形成手段は、潜像担持体と、振動する偏向面を介して光ビームを照射して潜像を形成する潜像形成部とを備え、複数の画像形成手段のうちの少なくとも一の画像形成手段における潜像形成部は主走査方向の第１方向で潜像を形成し、複数の画像形成手段のうちの他の画像形成手段における潜像形成部は第１方向と逆方向となる第２方向で、潜像を形成し、複数の画像形成手段での潜像の副走査方向における形成位置を調整することを特徴としている。
また、この発明にかかる画像形成装置の他の態様は、複数の画像形成手段を有し、画像形成手段で形成されるトナー像を重ね合わせてカラー画像を形成する画像形成装置であって、複数の画像形成手段は、潜像担持体と、振動する偏向面を介して光ビームを照射してライン潜像を形成する潜像形成部とを備え、全ての画像形成手段で潜像形成に用いる光ビームの走査方向を第１方向に統一すると複数の潜像形成部により形成されるライン潜像の傾斜方向が異なるとき、複数の画像形成手段のうちの少なくとも一の画像形成手段における潜像形成部は主走査方向の第１方向でライン潜像を形成し、複数の画像形成手段のうちの他の画像形成手段における潜像形成部は第１方向と逆方向となる第２方向で、ライン潜像を形成し、複数の潜像形成部により形成されるライン潜像を一致またはライン潜像の傾斜方向が同一となるように調整することを特徴としている。
【手続補正８】
【補正対象書類名】明細書
【補正対象項目名】０００９
【補正方法】変更
【補正の内容】
【０００９】
また、この発明にかかる画像形成方法の一の態様は、複数の画像形成手段を用いてカラー画像を形成する画像形成方法であって、複数の画像形成手段の少なくとも一つは、振動する偏向面によって光ビームを主走査方向の第１方向で潜像を形成する一方、他の画像形成手段は、振動する偏向面によって光ビームを第１方向と逆方向となる第２方向で潜像を形成することによって画像形成手段での潜像の副走査方向における形成位置を調整する像形成工程と、複数の画像形成手段により形成されたトナー像を用いてカラー画像を形成する転写工程とを備えたことを特徴としている。
また、この発明にかかる画像形成方法の他の態様は、複数の画像形成手段を用いてカラー画像を形成する画像形成方法であって、複数の画像形成手段の各々で、振動する偏向面を介して光ビームを潜像担持体に照射してライン潜像を形成するとともにライン潜像を現像してトナー像を形成する工程と、複数の画像形成手段により形成されたトナー像を用いてカラー画像を形成する転写工程と、を備え、全ての画像形成手段で潜像形成に用いる光ビームの走査方向を第１方向に統一すると複数の画像形成手段において形成されるライン潜像の傾斜方向が異なるとき、複数の画像形成手段の少なくとも一つは、振動する偏向面によって光ビームを主走査方向の第１方向でライン潜像を形成する一方、他の画像形成手段は、振動する偏向面によって光ビームを第１方向と逆方向となる第２方向でライン潜像を形成し、複数の画像形成手段において形成されるライン潜像を一致またはライン潜像の傾斜方向が同一となるように調整することを特徴としている。
【手続補正９】
【補正対象書類名】明細書
【補正対象項目名】００１０
【補正方法】変更
【補正の内容】
【００１０】
このように構成された発明（画像形成装置および方法）では、画像形成手段の各々において光源からの光ビームが振動する偏向ミラー面により偏向され、光ビームを主走査方向に往復走査させることが可能となっている。ここで、主走査方向の第１方向に走査される光ビームによりライン潜像ＬＩ(+X)を形成する場合と、第１方向と逆の第２方向に走査される光ビームによりライン潜像ＬＩ(-X)を形成する場合とを対比すると、次のことがわかる。すなわち、図１０に示すように、両ライン潜像ＬＩ(+X)，ＬＩ(-X)は一致せず、互いに逆方向に傾斜している。したがって、潜像形成に用いる光ビームの走査方向を選択的に切り換えることで潜像担持体および潜像形成部の相対的な位置関係の機械的な調整限界を超えて潜像担持体上でのライン潜像の形成位置を調整することができる。そこで、この発明では、複数の画像形成手段のうち一部については潜像形成用光ビームを第１方向に走査させてライン潜像を形成する一方、残りについては潜像形成用光ビームを第２方向に走査させてライン潜像を形成することによって各画像形成手段でのライン潜像の形成位置が調整され、その結果、各潜像担持体に形成されるライン潜像の相対的な位置ずれを抑制して高品質なカラー画像を形成することが可能となっている。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】